(57)【要約】【課題】周辺物体の写り込みを防止できると共に、斜めからみる際の白濁感が低減される、アンチグレア機能を備えた光学フィルタを提供する。【解決手段】表面に黒色粒子３０を散在させて凹凸を設けることにより、アンチグレア機能をもたせた光学フィルタ１であり、ＰＤＰの電磁波シールド材に適用する場合は、透明基材１０の上に、導電パターン１６と、プラスチックフィルム２０と、反射防止層２４と、それに散在させた黒色粒子３０とが設けられて基本構成される。【選択図】図１
2009042358.tif 000002
【特許請求の範囲】
【請求項１】
アンチグレア機能を備えた光学フィルタにおいて、
表面に黒色粒子を散在させて凹凸を設けることにより、前記アンチグレア機能をもたせたことを特徴とする光学フィルタ。
【請求項２】
プラスチックフィルムと、
前記プラスチックフィルムの上面に形成された樹脂層と、
前記樹脂層に散在させた前記黒色粒子とを有することを特徴とする請求項１に記載の光学フィルタ。
【請求項３】
前記樹脂層は、反射防止層であることを特徴とする請求項２に記載の光学フィルタ。
【請求項４】
透明基材と、
前記透明基材の上方に形成された導電パターンとをさらに有し、
前記導電パターンの上方に前記プラスチックフィルムの下面側が貼着されていることを特徴とする請求項１又は２に記載の光学フィルタ。
【請求項５】
前記プラスチックフィルムの下面に形成された近赤外線吸収層をさらに有することを特徴とする請求項４に記載の光学フィルタ。
【請求項６】
前記透明基材と前記導電パターンとの間に、下から順に、粘着層及び樹脂層が設けられていることを特徴とする請求項４に記載の光学フィルタ。
【請求項７】
前記黒色粒子は、縦方向から所定角度で傾いた複数の直線上に並んで配置されていることを特徴とする請求項１乃至６のいずれか一項に記載の光学フィルタ。
【請求項８】
請求項１乃至７のいずれか一項に記載の光学フィルタを画面上に設置したプラズマディスプレイ装置。
【発明の詳細な説明】
【技術分野】
【０００１】
本発明は光学フィルタ及びプラズマディスプレイ装置に係り、さらに詳しくは、ＰＤＰ（プラズマディスプレイパネル）から漏洩する電磁波を遮蔽するシールド材に好適に適用できる光学フィルタ及びそれを備えたプラズマディスプレイ装置に関する。
【背景技術】
【０００２】
近年、広い視野角をもち、表示品質がよく、大画面化ができるなどの特徴をもつＰＤＰ（プラズマディスプレイパネル）は、マルチメディアディスプレイ機器などに急速にその用途を拡大している。ＰＤＰはその駆動により電磁波を発生するので、ＰＤＰの画面上にはＰＤＰからの電磁波を遮蔽するためにシールド材（光学フィルタ）が配置される。
【０００３】
そのようなシールド材では、ＰＤＰの表示画面に照明などの周辺物体の映り込みが生じないように、表面保護フィルムが設けられている。表面保護フィルムとしては、反射防止フィルムやアンチグレア（防眩）フィルムがある。
【０００４】
特許文献１及び２には、反射防止機能やアンチグレア機能を備えたフィルムが設けられた電磁波シールド板が開示されている。
【特許文献１】特開２００６−１９６９１１号公報
【特許文献２】特開２００３−２２６４６５号公報
【発明の開示】
【発明が解決しようとする課題】
【０００５】
アンチグレアフィルムでは、ハードコート樹脂の中に透明粒子を散在させ、表面に形成される凹凸によって外光による反射光を散乱させることにより、表示画面への照明などの周辺物体の写り込みを防止する。
【０００６】
しかしながら、そのようなアンチグレアフィルムをＰＤＰのシールド材に適用する場合、表示画面を斜めからみると、透明粒子によって光が散乱することから、表示画面が白濁してみえる問題がある。
【０００７】
本発明は以上の問題点を鑑みて創作されたものであり、周辺物体の写り込みを防止できると共に、斜めからみる際の白濁感が低減される、アンチグレア機能を備えた光学フィルタ及びそれを備えたプラズマディスプレイ装置を提供することを目的とする。
【課題を解決するための手段】
【０００８】
上記課題を解決するため、本発明は光学フィルタに係り、アンチグレア機能を備えた光学フィルタにおいて、表面に黒色粒子を散在させて凹凸を設けることにより、前記アンチグレア機能をもたせたことを特徴とする。
【０００９】
上記した発明の光学フィルタは、プラスチックフィルムと、プラスチックフィルムの上面に形成された樹脂層と、樹脂層に散在させた黒色粒子とを有する。
【００１０】
本発明の好適な態様では、ＰＤＰの電磁波シールド材に適用され、透明基材と、透明基材の上方に形成された導電パターンとをさらに有し、導電パターンの上方にプラスチックフィルムの下面側が貼着されている。
【００１１】
本発明の光学フィルタはＰＤＰなどの表示装置の前面に配置され、黒色粒子による凹凸によって照明などの周辺物体の移り込みが防止される（アンチグレア機能）。さらに、黒色粒子を散在させることから、透明なシリカ粒子を使用する場合と違って、入射する外光が吸収されて反射光が低減されるので、斜めからみた際に白濁してみえる不具合が解消され、広い視野角において良好な表示特性が得られるようになる。
【００１２】
ＰＤＰ用の光学フィルタでは、ＰＤＰの表示画像のコントラスト向上のためにその光透過率を４０％程度に設定することが多い。光学フィルタの光透過率を下げるために、近赤外線吸収フィルムや粘着層に染料や顔料を含有させたり、導電パターンの線幅を太くしたりする方法があるが、ヘイズ（曇り度）が高くなったり、モアレが発生するといった問題がある。
【００１３】
しかしながら、本発明の光学フィルタでは、黒色粒子を散在させることによってアンチグレア機能をもたせているので、黒色粒子によって光学フィルタの光透過率を調整することができる。従って、不具合（ヘイズやモアレ）が発生することなく、光学フィルタを所望の光透過率に設定できるようになり、ＰＤＰの表示画像のコントラストを向上させることができる。
【００１４】
また、本発明の好適な態様では、モアレの発生を防止するために、縦方向から所定角度で傾いた複数の直線上に黒色粒子が規則正しく配置されるようにすることが好ましい。
【発明の効果】
【００１５】
以上説明したように、本発明の光学フィルタでは、周辺物体の写り込みを防止できると共に、斜めからみる際の白濁感が低減される。
【発明を実施するための最良の形態】
【００１６】
本発明の実施の形態について、図を参照しながら説明する。
【００１７】
図１は本発明の実施形態の光学フィルタの構成を示す断面図である。本実施形態では、電磁波遮蔽機能を併せもつＰＤＰ（プラズマディスプレイ装置）用の光学フィルタを例に挙げて説明する。
【００１８】
図１に示すように、本実施形態のＰＤＰ用の光学フィルタ１では、ガラス板１０（透明基材）の上に粘着層１２及び樹脂層１４が形成されている、樹脂層１４の上にＰＤＰからの電磁波を遮蔽する銅などからなる導電パターン１６が形成されている。
【００１９】
導電パターン１６は、中央部に配置されたメッシュ状のパターン部１６ａと、周縁側に枠状に配置されたアース電極部１６ｂとによって構成され、パターン部１６ａはアース電極部１６ｂに繋がっている。導電パターン１６は、例えば、線幅が１０μｍのメッシュ状に形成される。また、導電パターン１６はその両面及び両側面が黒化されていてもよい。
【００２０】
なお、ガラス基板１０の代わりにＰＥＴフィルムを使用し、ＰＥＴフィルムの上に接着層を介して導電パターン１６が形成されていてもよい。この場合は、ＰＥＴ付銅箔の銅箔がパターン化されて導電パターン１６が得られる。
【００２１】
導電パターン１６の上には、アース電極部１６ｂが露出する状態で粘着層１８が形成されている、粘着層１８の上にはアース電極部１６ｂが露出する状態でプラスチックフィルム２０（ＰＥＴフィルムやＴＡＣフィルム）が貼着されている。プラスチックフィルム２０の下面には近赤外線吸収層２２が形成されている。
【００２２】
また、プラスチックフィルム２０の上面には反射防止層２４が形成されている。図１の部分断面図に示すように、反射防止層２４は、ハードコート層２４ａの上に光屈折率の異なる第１、第２、第３光学干渉層２４ｂ，２４ｃ，２４ｄ（樹脂層）が積層されて構成され、光学干渉を利用して反射光の強度を低減させることができる。
【００２３】
さらに、反射防止層２４には複数の黒色粒子３０が散在している。黒色粒子３０は反射防止層３４の上面から突き出た突出部Ｐが設けられた状態で散在しており、これによって表面に凹凸が設けられた状態となっている。黒色粒子３０の突出部Ｐによる凹凸により、外光の反射光が散乱され、照明などの周辺物体の写り込みを防止することができる。黒色粒子３０の径は１００μｍ以下が好ましく、さらに好適には３〜１０μｍに設定される。
【００２４】
このようにして、光学フィルム１の表面側に、プラスチックフィルム２０と、その下面に形成された近赤外線吸収層１８と、その上面に形成された反射防止層２４及び黒色粒子３０とにより構成されるＡＧ／ＡＲ／ＮＩＲフィルム４０が設けられている。ＡＧ／ＡＲ／ＮＩＲフィルム４０は、アンチグレア（ＡＲ）機能、反射防止（ＡＲ）機能及び近赤外線（ＮＩＲ）吸収機能を備える。
【００２５】
なお、反射防止層２４の第３光学干渉層２４ｄなどによって黒色粒子３０の突出部Ｐが被覆されていてもよい。また、反射防止層２４の中に全体が埋設された黒色粒子３０を含んでいてもよく、黒色粒子３０の突出部Ｐが突き出て凹凸が設けられていればよい。また、複数の黒色粒子３０の径は全て同一であってもよいし、異なっていてもよい。
【００２６】
さらには、反射防止層２４を必要としない場合は、光学的に等方性の樹脂に黒色粒子３０を散在させてもよい。
【００２７】
また、黒色粒子３０は、シリカ粒子などを黒の色材に浸漬させて表層部のみを黒色にしてもよいし、黒色の着色樹脂などから形成して全体にわたって黒色からなるようにしてもよい。また、本実施形態の黒色粒子３０は、真黒以外に灰色、黒っぽい茶色、又は黒っぽい緑色などの色を呈する粒子を含み、光を反射しにくい暗色であれば使用することができる。
【００２８】
本実施形態の光学フィルタ１は、ＡＧ／ＡＲ／ＮＩＲフィルム４０が視聴者側になるようにして、ＰＤＰ２の表示画面の前面に設置され、そのアース電極部１６ｂがＰＤＰ２の筐体のアース端子に電気的に接続される。
【００２９】
本実施形態の光学フィルタでは、黒色粒子３０のよる凹凸によって照明などの周辺物体の移り込みが防止される（アンチグレア（防眩）機能）。さらに、黒色粒子３０を散在させることから、透明なシリカ粒子を使用する場合と違って、入射する外光が吸収されて反射光が低減されるので、斜めからみた際に白濁してみえる不具合が解消され、広い視野角において良好なＰＤＰの表示特性が得られるようになる。さらに、反射防止層２４が設けられているので、反射光強度を低減することができ、コントラストを向上させることができる。
【００３０】
ところで、ＰＤＰ用の光学フィルタでは、ＰＤＰの表示画像のコントラスト向上のためにその光透過率を３０〜５０％（例えば４０％程度）に設定することが多い。外光は光学フィルタを透過し、ＰＤＰで反射されて光学フィルタを再度透過して外部に放出される。このとき、光学フィルタの光透過率が高く設定されていると、ＰＤＰの表示画像とは関係のない外光による不必要な反射光が外部に多く放出されるようになる。これによって、ＰＤＰの表示画像のコントラストが悪化するので、光学フィルタの光透過率をある程度抑える必要がある。
【００３１】
一般的な光学フィルタでは、光透過率を下げるために、近赤外線吸収フィルムや粘着層に染料や顔料を含有させたり、導電パターン（金属メッシュ）の線幅を太くしたり、そのピッチを狭くしたりして対応している。
【００３２】
しかしながら、近赤外線吸収フィルムや粘着層に染料や顔料を含有させると、ヘイズ（曇り度）が高くなり、また、導電パターン（金属メッシュ）の線幅を太くすると、モアレが発生する問題がある。
【００３３】
本実施形態の光学フィルタでは、黒色粒子３０を反射防止層２４に散在させることにより、アンチグレア機能をもたせるようにしている。従って、近赤外線吸収フィルムや粘着層に染料や顔料を含有させたり、導電パターン（金属メッシュ）の線幅を太くしたりすることなしに、黒色粒子３０によって光学フィルタ１の光透過率を調整することができる。
【００３４】
つまり、導電パターン１６をモアレが発生しない線幅（ピッチ）に自由に設定し、導電パターン１６では足りない遮光を黒色粒子３０で補うことにより、光学フィルタの光透過率を調整することができる。
【００３５】
このように、本実施形態では、黒色粒子３０の散在量を調整することにより、不具合（ヘイズやモアレ）が発生することなく、光学フィルムを所望の光透過率に調整することができる。このとき、反射防止層２４の光透過率は９０〜５０％（好適には８６〜６０％）に設定される。従って、何ら弊害が発生することなく、ＰＤＰの表示画像のコントラストを向上させることができる。
【００３６】
また、黒色粒子３０の配置に関して言及すると、特にＰＤＰ用の導電パターンを備えた光学フィルムに黒色粒子３０をランダムに散在して配置すると、モアレが発生することがある。このため、図２に示すように、縦（垂直）方向ＶＤから角度θで傾いた複数の直線上に、黒色粒子３０が等間隔で規則正しく配置されるようにすることが好ましい。図２の角度θは、導電パターン１６の配置角度などを考慮し、モアレが発生しないように０°を越え、９０°未満の角度（好適には３０〜６０°）に設定される。
【００３７】
次に、本実施形態の光学フィルタの製造方法について説明する。
【００３８】
図３（ａ）に示すように、まず、プラスチックフィルム５２（ＰＥＴフィルムなど）の上面にシリコーンなどからなる剥離層５４が形成されて構成されるセパレータ５０を用意する。次いで、セパレータ５０の剥離層５４の上にアクリル系の粘着層１２及びポリエステル系の樹脂層１４を順次形成する。さらに、樹脂層１４の上に銅箔１６ｘを貼着する。
【００３９】
黒色の導電パターン１６を得る場合は、一方の面が電解めっきによって黒化された銅箔１６ｘを使用し、その黒化された面を樹脂層１４に貼着する。このようにして、セパレータ５０の上に、下から順に、粘着層１２、樹脂層１４及び銅箔１６ｘが積層された構造体を用意する。
【００４０】
次いで、図３（ｂ）に示すように、銅箔１６ｘの上にレジスト膜（不図示）をパターニングした後に、そのレジスト膜をマスクにして銅箔１６ｘをウェットエッチングすることにより導電パターン１６を形成する。その後に、レジスト膜が除去される。導電パターン１６は、中央主要部に配置されるパターン部１６ａと、それに繋がって周縁部に枠状に配置されるアース電極部１６ｂとにより構成される。
【００４１】
この工程では、特にロールツーロール法で搬送する場合、銅箔１６ｘはセパレータ５０、粘着層１２及び樹脂層１４によって支持されているので、スプレー状に供給されるエッチング液の圧力に耐えることができ、安定して銅箔１６ｘをエッチングすることができる。
【００４２】
続いて、黒色の導電パターン１６を得る場合は、導電パターン１６を亜塩素酸ソーダ水溶液とカセイソーダ水溶液との混合液で化成処理することにより、導電パターン１６の露出面を黒化する。これにより、導電パターン１６の両面及び両側面が全て黒化される。
【００４３】
次いで、図３（ｃ）に示すように、粘着層１２と剥離層５４との界面から剥離することにより、粘着層１２からセパレータ５０を分離する。これにより、図３（ｄ）に示すように、粘着層１２の上に樹脂層１４及び導電パターン１６が順に形成されて構成される導電部材５を得る。
【００４４】
続いて、図４に示すように、ガラス板１０の上に図３（ｄ）の導電部材５の粘着層１２の面を貼着する。さらに、導電パターン１６の上にアース電極部１６ｂが露出するように粘着層１８を介して、前述したＡＧ／ＡＲ／ＮＩＲフィルム４０の近赤外線吸収層２２の面を貼着する。
【００４５】
反射防止層２４及び黒色粒子３０の形成方法は、プラスチックフィルム２０の上に反射防止層２４を構成するための所要の樹脂材料を複数回塗布して樹脂塗布層を形成する。さらに、ディスペンサによって黒色粒子３０を樹脂塗布層に規則正しく配置して散在させる。さらに、熱処理することによって樹脂塗布層を硬化させることにより、反射防止層２４が得られ、その中に黒色粒子３０が固定される。
【００４６】
以上により、前述した図１の光学フィルタ１が得られる。
【００４７】
なお、ガラス板１０の上に銅層をスパッタ法によって成膜し、フォトリソグラフィ及びエッチングによって銅層をパターン化して導電パターン１６を形成し、その上に粘着層１８を介してＡＧ／ＡＲ／ＮＩＲフィルム４０を貼着してもよい。
【００４８】
また、本実施形態では、ＰＤＰ用の光学フィルタを例示したが、導電パターン１６を必要としない用途に使用する場合は、導電パターン１６を省略してよい。この場合は、ガラス板１０の上に粘着層１８を介してＡＧ／ＡＲ／ＮＩＲフィルム４０が貼着される。また、ガラス板１０の代わりにプラスチックフィルムを使用してもよい。
【００４９】
あるいは、ＡＧ／ＡＲ／ＮＩＲフィルム４０の下に貼付用粘着層を設けておき、各種の表示装置に貼付用粘着層を直接貼付して光学フィルタを設置してもよい。
【図面の簡単な説明】
【００５０】
【図１】図１は本発明の実施形態の光学フィルタの構成を示す断面図である。
【図２】図２は本発明の実施形態の光学フィルタの黒色粒子の配置の様子を示す平面図である。
【図３】図３は本発明の実施形態の光学フィルタの製造方法を示す断面図（その１）である。
【図４】図４は本発明の実施形態の光学フィルタの製造方法を示す断面図（その２）である。
【符号の説明】
【００５１】
１…光学フィルタ、２…ＰＤＰ、５…導電部材、１０…ガラス板、１２，１８…粘着層、１４…樹脂層、１６…導電パターン、１６ｘ…銅箔、１６ａ…パターン部、１６ｂ…アース電極部、２０，５２…プラスチックフィルム、２２…近赤外線吸収層、２４…反射防止層、２４ａ…ハードコート層、２４ｂ〜２４ｄ…光学干渉層、３０…黒色粒子、４０…ＡＧ／ＡＲ／ＮＩＲフィルム、５０…セパレータ、５４…剥離層。
【図１】
2009042358.tif 000003
【図２】
2009042358.tif 000004
【図３】
2009042358.tif 000005
【図４】
2009042358.tif 000006